(57)【特許請求の範囲】
【請求項１】
磁場成形金型に配設した複数の配向用のマグネットと、このマグネットにおける配向角度調整機構を設けてなるプラスチックマグネットの製造装置であって、前記配向角度調整機構は、前記マグネット各々をマグネットホルダーを介して固着する複数のマグネットベースと、このマグネットベースを設定および配設する構成体を有すると共に、隣接する前記マグネットホルダー間に左右ネジを連結してなるものとしたプラスチックマグネットの製造装置。
【請求項２】
左右ネジに代えて偏心ブッシュあるいはスペーサ挿入治具とする配向角度調整機構としてなる請求項１に記載のプラスチックマグネットの製造装置。
【発明の詳細な説明】
【０００１】
【発明の属する技術分野】
本発明はモータなどに使用されるプラスチックマグネットの製造装置に関するものである。
【０００２】
【従来の技術】
従来のプラスチックマグネットの製造装置における磁場成形金型（機構）および磁場形成について、図面を用いて説明する。図４は従来のプラスチックマグネットの製造装置における磁場成形金型の要部断面斜視図である。
【０００３】
図４において、１は磁場成形金型における下型部であり、受板５、この受板５上に配置された非磁性体でなる下型板７、この下型板７内に配置された構成体８、上記下型板７に設けたガイドポスト孔４、そして磁場成形金型の下型部１の構成体８内に配設されている永久磁石でなる複数個の配向用のマグネット３などにより構成されている。
【０００４】
２は上および下型部１より形成される所望成形製品（プラスチックマグネット）の形状を有する製品空間部であるキャビティー部、そして６は永久磁石でなる複数個の配向用のマグネット３により形成される磁気回路である。
【０００５】
前記従来の装置における磁場成形金型においては、前記複数の配向用のマグネット３は磁場成形金型を構成する構成体８内に固定されている。
【０００６】
プラスチックマグネットの製造方法について説明する。まず、溶融されたフェライト入りの成形樹脂（図示せず）を磁場成形金型内のキャビティー部２に所定量注入する。すると、キャビティー部２には永久磁石でなる複数個の配向用のマグネット３により磁気回路６が形成されており、注入された溶融樹脂はこの磁気回路６により磁化されながら、やがて固化することにより磁気（磁力）を有する成形製品のプラスチックマグネットが製造される。
【０００７】
【発明が解決しようとする課題】
しかしながら、前記従来の装置における磁場成形金型（機構）では、永久磁石でなる各配向用のマグネット３間に磁束密度、磁化配向角度精度、加工精度などのバラツキが存在し、磁気特性や磁気精度が向上せず、かつ配向用のマグネット３が固定されているので前記磁場成形金型内の配向磁場が、各極ごとに均等ではないため、成形製品の磁気特性が各極ごとにバラツキを持ちかつ磁気精度が向上せず、完成したプラスチックマグネット（成形製品）を使用する製品において騒音や振動などの原因になるという課題を有していた。
【０００８】
本発明は前記課題を解決しようとするものであり、磁場成形において成形製品の磁気特性が均一となるプラスチックマグネットの製造装置を提供することを目的とする。
【０００９】
【課題を解決するための手段】
前記課題を解決するために本発明によるプラスチックマグネットの製造装置は、磁場成形金型のキャビティー部（製品空間部）周辺に磁場の配向用のマグネット（永久磁石）を複数個配設する際、各配向用のマグネットに対する配向角度調整機構を設けた構成としたものであり、磁気回路を均一にすることが可能となる。
【００１０】
【発明の実施の形態】
本発明の請求項１に記載の発明は、磁場成形金型に配設した複数の配向用のマグネットと、このマグネットにおける配向角度調整機構を設けてなるプラスチックマグネットの製造装置であって、前記配向角度調整機構は、前記マグネット各々をマグネットホルダーを介して固着する複数のマグネットベースと、このマグネットベースを設定および配設する構成体を有すると共に、隣接する前記マグネットホルダー間に左右ネジを連結してなるものとしたものであり、キャビティー部に所望の均一な磁気回路を形成できると共に、磁場成形金型を成形機に取付けたまま分解することなく配向角度調整が可能であり、調整が容易かつ短時間で行えるという作用を有する。
【００１３】
請求項２に記載の発明は、左右ネジに代えて偏心ブッシュあるいはスペーサ挿入治具とする配向角度調整機構としてなる請求項１に記載のプラスチックマグネットの製造装置としたものであり、請求項１に記載の作用に加えて、任意あるいは複数の調整に対応できるという作用を有する。
【００１４】
以下、本発明の実施の形態について図面を用いて説明する。図１は本発明の実施の形態におけるプラスチックマグネットの製造装置における磁場成形金型の構成を示す要部断面斜視図、図２は同配向角度調整機構の斜視図、図３は同平面図である。
【００１５】
図１において、１８はベースとなる非磁性体あるいは金属材でなる受板、２１は受板１８の上面に設置されガイドポスト孔１７を設けた非磁性体でなる下型板、１９は定ピッチで複数の止孔１５を設け下型板２１の内部に密着し設置した非磁性体でなる構成体、そして１４は同じく非磁性体でなり構成体１９と摺動し回動自在に嵌め込まれた一体あるいは分割されたマグネットベースである。
【００１６】
１３は複数個（本実施の形態では８個）の水平断面が扇形状の永久磁石からなる配向用のマグネットであり、構成体１９内でマグネットベース１４上に固着して搭載され、後述するキャビティー部１２の周辺に円形で連接して配置されている。
【００１７】
１２は複数個の配向用のマグネット１３と構成体１９により中心部に形成される所望成形製品（プラスチックマグネット）の形状を有する製品空間部であるキャビティー部、そして１６は８個の永久磁石でなる配向用のマグネット１３によりキャビティー部１２内に形成される磁気回路である。
【００１８】
２０は止孔１５に挿入されマグネットベース１４を構成体１９に固定する固定調整ボルトである。以上により、プラスチックマグネットの製造装置における磁場成形金型の下型部１１を構成しており、前記ガイドポスト孔１７により下型部１１の上下移動動作を案内あるいは規制するように構成されている。
【００１９】
そして、キャビティー部１２における磁気回路１６の磁場（磁界）を均一にするために、キャビティー部１２の所定磁気回路１６の磁界あるいは磁束密度を測定し、所定の配向用のマグネット１３を摺動回動させ、固定調整ボルト２０を締付けて固定するのである。
【００２０】
次に本発明の具体的な配向用のマグネットにおける配向角度調整機構について、図２、図３を用いて説明する。図２において、２５はマグネットベース１４の端部に２個所設けた固定孔、２６は固定孔２５を挿通しマグネットベース１４を構成体１９に調整し固定する固定ボルトである。
【００２１】
２３は上あるいは上下および片端が開放され、配向用のマグネット１３を内部に密着保持した非磁性体でなるマグネットホルダーであり、配向用のマグネット１３を所定位置に保持し衝撃による欠けを防止している。
【００２２】
２４は同じくコ字状の固定エンドであり、片側面が前記マグネットホルダー２３の側端面と、下面がマグネットベース１４の上面に固着されている。そして、２２は左右ネジであり、両端が各々隣接するマグネットホルダー２３の固定エンド２４の切欠き部に回動自在に取付けられている。
【００２３】
次に、磁気回路１６における磁場、すなわち磁界あるいは磁束密度を均一化するために、配向用のマグネット１３の調整動作について図３を用いて説明する。まず、配向用のマグネット１３ａを調整するには、２個の固定ボルト２６ｂを締付けて配向用のマグネット１３ｂを構成体１９に固定する。
【００２４】
次に、２個の固定ボルト２６ａを緩める。そして、左右ネジ２２ａを回転させて配向用のマグネット１３ａを所定方向に摺動し回動させる。その後、２個の固定ボルト２６ａを締付けて配向用のマグネット１３ａを所定変更調整位置に固定する。
【００２５】
続いて、配向用のマグネット１３ｂを調整するには、２個の固定ボルト２６ｂを緩めて（固定ボルト１３ａは固定したまま）左右ネジ２２ａを回転させ配向用のマグネット１３ｂを所定方向に摺動し回動させる。その後、２個の固定ボルト２６ｂを締付けて配向用のマグネット１３ｂを所定変更調整位置に固定するのである。
【００２６】
以下、同じく必要に応じて磁気回路１６における所定箇所の磁界あるいは磁束密度を測定し、他の左右ネジ２２で連結した隣接する配向用のマグネット１３の残る３個所を順次あるいは同時に調整して、磁気回路１６全体を均一化するのである。
【００２７】
以上、各々の配向用のマグネット１３を固定しているマグネットベース１４に前記構成の配向角度調整機構を設け、キャビティー部１２内の所定箇所の磁気回路１６を測定し、各配向用のマグネット１３の配向角度を調整し各配向用のマグネット１３間の磁気特性バラツキを補正し均一にすることで、キャビティー部１２に所望の均一な磁気回路１６を形成し、従来の技術と同じ動作により磁気特性の優れたプラスチックマグネット（成形製品）を製作することができる。
【００２８】
なお、前記実施の形態では、配向用のマグネット１３を８個使用し着磁ピッチ（配向角度）が４５度の等ピッチについて説明したが、それ以外の着磁ピッチあるいは任意の着磁ピッチ、例えば９０度、６０度、４５度、３５度、６５度、６５度（計３６０度）などの着磁ピッチが多様であるプラスチックマグネットも容易に製造可能である。
【００２９】
なおまた、左右ネジ２２に替えて、偏心ブッシュあるいは、スペーサの出入による調整設定を行うスペーサ挿入治具を設置する構成の配向角度調整機構としてもよい。
【００３０】
【発明の効果】
以上のように本発明によれば、配向用のマグネットを直接移動あるいは回動することなく、磁場成形金型内に設置された簡易な機構により、短時間かつ容易に磁気回路を調整して均一にでき、高精度な磁気特性を有するプラスチックマグネットを製作でき、それを用いる製品の騒音や振動などの諸特性を向上することができるという効果を有する。
【図面の簡単な説明】
【図１】本発明の実施の形態におけるプラスチックマグネットの製造装置における磁場成形金型の要部断面斜視図
【図２】同配向角度調整機構の斜視図
【図３】同平面図
【図４】従来のプラスチックマグネットの製造装置における磁場成形金型の要部断面斜視図
【符号の説明】
１１  下型部
１２  キャビティー部
１３  配向用のマグネット（永久磁石）
１４  マグネットベース
１５  止孔
１６  磁気回路
１７  ガイドポスト孔
１８  受板
１９  構成体
２０  固定調整ボルト
２１  下型板
２２  左右ネジ
２３  マグネットホルダー
２４  固定エンド
２５  固定孔
２６  固定ボルト
【図１】
0003791332.tif 000002
【図２】
0003791332.tif 000003
【図３】
0003791332.tif 000004
【図４】
0003791332.tif 000005